(57)【要約】【課題】流水部材の位置調整を容易かつ迅速に行うことができるようにする。【解決手段】配水管等の流水部材を保持する保持部材２と、この保持部材２の側方に配置されて上下方向に長尺な支持部材３と、保持部材２を支持部材３に対して位置調整自在に固定する固定手段４とを備えた流水部材の固定用具において、固定手段４は、保持部材２を支持部材３に掛止する第１掛止部２７を有する固定部１７と、支持部材３に形成されるとともに、この第１掛止部２７を掛止する第２掛止部３ａとを備え、固定部１７は、支持部材３の長手方向に対して所定の角度で斜めに交差した状態で、第１掛止部２７が第２掛止部３ａに掛止されることにより、保持部材２を支持部材３に固定するように構成され、かつ、支持部材３に対する角度が変わるように操作されることにより、第２掛止部３ａによる第１掛止部２７の掛止を解除するように構成される。【選択図】図１
2009270603.tif 000002
【特許請求の範囲】
【請求項１】
配水管等の流水部材を保持する保持部材と、この保持部材の側方に配置されて上下方向に長尺な支持部材と、保持部材を支持部材に対して位置調整自在に固定する固定手段とを備えた流水部材の固定用具において、
固定手段は、保持部材を支持部材に掛止する第１掛止部を有する固定部と、支持部材に形成されるとともに、この第１掛止部を掛止する第２掛止部とを備え、
固定部は、支持部材の長手方向に対して所定の角度で斜めに交差した状態で、第１掛止部が第２掛止部に掛止されることにより、保持部材を支持部材に固定するように構成され、かつ、支持部材に対する角度が変わるように操作されることにより、第２掛止部による第１掛止部の掛止を解除するように構成されてなることを特徴とする流水部材の固定用具。
【請求項２】
配水管等の流水部材を保持する保持部材と、この保持部材の側方に配置されて上下方向に長尺な支持部材と、保持部材を支持部材に対して位置調整自在に固定する固定手段とを備えた流水部材の固定用具において、
固定手段は、所定の操作による弾性変形・変形解除によって支持部材に対して接近・離反することで支持部材に掛止・掛止解除可能な第１掛止部を有する固定部と、支持部材に形成されるとともに第１掛止部を掛止する第２掛止部と、第２掛止部による第１掛止部の掛止を維持すべく、第１掛止部の掛止位置とは反対側から支持部材に当接する当接部とを備え、
しかも、固定手段は、第１掛止部が第２掛止部に掛止されるとともに、当接部が支持部材に当接した状態で、この第１掛止部と当接部とで支持部材を挟むようにすることで、保持部材を支持部材に固定し、そして、所定の操作により第１掛止部を第２掛止部から離反させて掛止が解除されたときに、保持部材を支持部材の長手方向に沿って位置変更可能にするように構成されてなることを特徴とする流水部材の固定用具。
【請求項３】
前記固定部には、支持部材が挿通されるとともに、第１掛止部による掛止が解除されたときに、保持部材を支持部材の長手方向に沿って案内するガイド孔が形成される請求項１または２に記載の流水部材の固定用具。
【請求項４】
前記第１掛止部は、ガイド孔の周縁部に形成される請求項３に記載の流水部材の固定用具。
【請求項５】
前記固定部は、ガイド孔に支持部材が挿通されたときに、この支持部材の長手方向に対して斜めに交差するように構成される請求項２に記載の流水部材の固定用具。
【請求項６】
前記第２掛止部は、前記支持部材に形成された雄ねじである請求項１から５のいずれか１項に記載の流水部材の固定用具。
【発明の詳細な説明】
【技術分野】
【０００１】
本発明は、例えば、配水管等の流水部材の固定用具に関する。
【背景技術】
【０００２】
従来、流水部材の固定用具には、例えば、流水部材（配水管）を保持する保持部材（保持手段）と、この保持部材を所定の高さ位置で固定する一対の支持部材と、保持部材の高さ調整をするための高さ調整手段（位置調整手段）と、支持部材が固定されるベース部材とを備えたものがある（例えば特許文献１参照）。
【０００３】
この固定用具の保持部材は、円弧状に形成されていて流水部材を保持する保持部を有し、この保持部には、内側から外側に向かってボルトが突出して設けられており、このボルトおよびボルトに嵌るナットによって高さ調整手段が構成されている。
【０００４】
また、支持部材には、保持部のボルトを係止するための係止孔が形成されており、この固定用具は、保持部のボルトを係止孔に挿通するとともに、このボルトにナットを嵌め込んで締結することによって、支持部材に保持部を固定することができ、ナットを緩めると、保持部の高さを変更（調整）できるようになっている。
【特許文献１】特許第３７６３７８７号公報
【発明の開示】
【発明が解決しようとする課題】
【０００５】
従来の流水部材の固定用具は、保持部材（保持部）の位置を調整する場合、ボルトに締め付けられているナットを一旦緩め、保持部の位置を変更した後、再びナットを締め付ける必要があり、このナットを緩めて再び締め付ける動作に手間がかかっていた。
【０００６】
そこで、本発明は、流水部材の位置調整を容易かつ迅速に行うことができる流水部材の固定用具を提供することを課題とする。
【課題を解決するための手段】
【０００７】
本発明は、上記の課題を解決するためのものであって、配水管等の流水部材を保持する保持部材と、この保持部材の側方に配置されて上下方向に長尺な支持部材と、保持部材を支持部材に対して位置調整自在に固定する固定手段とを備えた流水部材の固定用具において、固定手段は、保持部材を支持部材に掛止する第１掛止部を有する固定部と、支持部材に形成されるとともに、この第１掛止部を掛止する第２掛止部とを備え、固定部は、支持部材の長手方向に対して所定の角度で斜めに交差した状態で、第１掛止部が第２掛止部に掛止されることにより、保持部材を支持部材に固定するように構成され、かつ、支持部材に対する角度が変わるように操作されることにより、第２掛止部による第１掛止部の掛止を解除するように構成されてなることを特徴とする。
【０００８】
かかる構成によれば、支持部材に対する固定部の角度を変更する操作により、保持部材を支持部材に対して固定および固定解除できるようになり、これによって、流水部材の固定用具は、流水部材の位置調整を容易かつ迅速に行うことができるようになる。
【０００９】
また、本発明は、上記の課題を解決するためのものであって、配水管等の流水部材を保持する保持部材と、この保持部材の側方に配置されて上下方向に長尺な支持部材と、保持部材を支持部材に対して位置調整自在に固定する固定手段とを備えた流水部材の固定用具において、固定手段は、所定の操作による弾性変形・変形解除によって支持部材に対して接近・離反することで支持部材に掛止・掛止解除可能な第１掛止部を有する固定部と、支持部材に形成されるとともに第１掛止部を掛止する第２掛止部と、第２掛止部による第１掛止部の掛止を維持すべく、第１掛止部の掛止位置とは反対側から支持部材に当接する当接部とを備え、しかも、固定手段は、第１掛止部が第２掛止部に掛止されるとともに、当接部が支持部材に当接した状態で、この第１掛止部と当接部とで支持部材を挟むようにすることで、保持部材を支持部材に固定し、そして、所定の操作により第１掛止部を第２掛止部から離反させて掛止が解除されたときに、保持部材を支持部材の長手方向に沿って位置変更可能にするように構成されてなることを特徴とする。
【００１０】
かかる構成によれば、第１掛止部を支持部材の第２掛止部に掛止させ、第１掛止部と当接部とによって支持部材を挟むようにして、この掛止の状態を維持することにより、保持部材を支持部材に確実かつ強固に固定することができ、流水部材を所望の位置に固定することができるようになる。
【００１１】
さらに、この固定の状態から、第１掛止部が第２掛止部から離れるように固定部を弾性変形させることによって、保持部材を支持部材の長手方向に対して移動させることができ、そして、所定の位置で、弾性変形させていた第１掛止部を元の状態（変形解除）に戻すと、第１掛止部は、再び第２掛止部に掛止され、当接部が支持部材に当接することによって、この掛止が維持され、保持部材を支持部材に固定することができる。
【００１２】
このように、本発明に係る固定用具は、固定部を弾性変形させ、その弾性変形を解除させるだけの簡単な操作で、保持部材が保持する流水部材の位置調整を容易かつ迅速に行うことができる。
【００１３】
また、本発明に係る流水部材の固定用具は、前記固定部に、支持部材が挿通されるとともに、第１掛止部による掛止が解除されたときに、保持部材を支持部材の長手方向に沿って案内するガイド孔が形成される構成を採用できる。
【００１４】
かかる構成によれば、ガイド孔に支持部材が挿通されることで、保持部材は、このガイド孔を介して支持部材の長手方向に沿って案内されることになり、これによって、流水部材を保持する保持部材の位置調整を容易に行うことができるようになる。
【００１５】
また、本発明に係る流水部材の固定用具は、前記第１掛止部が、ガイド孔の周縁部に形成される構成を採用できる。
【００１６】
かかる構成によれば、第１掛止部を第２掛止部から離反させると、即座にガイド孔によって保持部材を支持部材の長手方向に沿って案内できるようになり、保持部材の固定解除、および位置調整を迅速に行うことができるようになる。
【００１７】
また、本発明に係る流水部材の固定用具は、前記固定部が、ガイド孔に支持部材が挿通されたときに、この支持部材の長手方向に対して斜めに交差するように構成されていてもよい。
【００１８】
かかる構成によれば、固定部が支持部材の長手方向に斜めに交差するように構成されることにより、この固定部を弾性変形させたときに、第１掛止部を第２掛止部から離反させることができるようになる。
【００１９】
また、本発明に係る流水部材の固定用具は、前記第２掛止部が、前記支持部材に形成された雄ねじであるような構成を採用してもよい。
【００２０】
かかる構成によれば、支持部材に雄ねじを形成することで、雄ねじの山部および谷部が支持部材の長手方向に等ピッチで複数形成されることになり、これによって、第１掛止部を支持部材の長手方向の任意の位置で掛止できるようになり、その掛止位置を変えることで、保持部材が保持する流水部材の位置を調整できるようになる。
【発明の効果】
【００２１】
本発明によれば、流水部材の位置調整を容易かつ迅速に行うことができるようになる。
【発明を実施するための最良の形態】
【００２２】
以下、本発明に係る流水部材の固定用具を実施するための最良の形態を、図面に基づき説明する。図１〜図３は流水部材の固定用具（以下、単に「固定用具」という）の第１実施形態を示している。
【００２３】
図１に示すように、固定用具１は、円筒状の配水管等の流水部材を保持する保持部材２と、この保持部材２を位置変更可能にする長尺状の支持部材３と、保持部材２を支持部材３に固定する固定手段４と、支持部材３が固定されるベース部材５を備える。
【００２４】
保持部材２は、金属製で、側面視ほぼ円弧状の板形状とされている。この保持部材２は、側面視において円弧状に形成されていて、流水部材を保持する保持部１０と、流水部材を保持部１０に案内するガイド部１１と、連結部１２とを有する。
【００２５】
保持部１０は、保持部材２の中途部に形成され、ガイド部１１は、保持部材２の２つの端部に形成されている。また、連結部１２は、保持部１０とガイド部１１の間の２箇所に設けられており、各連結部１２が固定手段４の作用する箇所となっている。
【００２６】
また、ガイド部１１は、図１に示すように、流水部材を保持部１０に案内できるように、保持部１０の円弧の半径（曲率半径）方向（以下、単に「半径方向」という）の外方に反り返るように形成されている。
【００２７】
連結部１２は、保持部材２の中途部を、半径方向外方に膨出するように形成することにより構成される。これにより、連結部１２の内側には、保持部１０の内面よりも半径方向外方に底面が位置する凹部（逃がし凹部）１２ａが形成されている。連結部１２には、その厚さ方向に貫通する貫通孔１２ｂが形成されている。
【００２８】
支持部材３は、金属製の円柱状とされており、その外面には、全長にわたって雄ねじ３ａが形成されている。なお、本実施形態では、支持部材３として全ねじが用いられている。この実施形態に係る固定用具１は、２つの支持部材３によって、保持部材２を支持するようになっている。支持部材３の一端部は、ベース部材５に固定されている。
【００２９】
固定手段４は、金属製の板部材を曲げることによって形成された固定部材１５を有し、この固定部材１５には、保持部材２の連結部１２に取り付けられる取付部１６と、支持部材３に係合するとともに、この支持部材３に保持部材２を固定するための固定部１７（１７ａ，１７ｂ）と、この固定部１７（１７ａ，１７ｂ）を操作するための操作部１８（１８ａ，１８ｂ）とが設けられている。
【００３０】
本実施形態では、１つの固定手段４に対して、２つの固定部１７ａ，１７ｂが形成され、各固定部１７ａ，１７ｂに１つの操作部１８（１８ａ，１８ｂ）が設けられている。２つの固定部１７ａ，１７ｂは、取付部１６を挟むようにして、この取付部１６に繋がって形成されている。
【００３１】
以下、１つの固定手段４の２つの固定部１７ａ，１７ｂの一方を第１固定部１７ａといい、この第１固定部１７ａに繋がる操作部１８ａを第１操作部１８ａという。また、２つの固定部１７ａ，１７ｂの他方を第２固定部１７ｂといい、この第２固定部１７ｂに繋がる操作部１８ｂを第２操作部１８ｂという。
【００３２】
取付部１６は、保持部材２の連結部１２に当接する当接面２１と、その板厚方向に貫通して形成された貫通孔１６ａとを有する。固定部材１５は、取付部１６の貫通孔１６ａと保持部材２の連結部１２の貫通孔１２ｂとを一致させ、連結部１２と取付部１６とを連結部材であるリベット２２で連結することにより、保持部材２に連結されている。このリベット２２において、取付部１６側を係止する頭部は、保持部材２を支持部材３に固定するときに、支持部材３に当接する当接部１４となっている。
【００３３】
各固定部１７ａ，１７ｂは、その板厚方向に貫通する孔２６を有し、この孔２６は、支持部材３が挿通されるとともに、保持部材２をこの支持部材３の長手方向に沿って案内するガイド孔２６となっている。このガイド孔２６は、図３に示すように、平面視で円形または楕円形に形成されている。
【００３４】
また、このガイド孔２６は、その周縁部の一部が、支持部材３の雄ねじ３ａの谷部または山部に掛止されるようになっている。すなわち、このガイド孔２６の一部（符号２７で示す）は、保持部材２を固定手段４を介して支持部材３に掛止する掛止部（以下「第１掛止部」という）２７となっている。この第１掛止部２７は、ガイド孔２６の周縁部において、固定部１７ａ，１７ｂの操作部１８ａ，１８ｂ側の端部寄りの部分である。
【００３５】
この第１掛止部２７は、操作部１８ａ，１８ｂを操作することにより、支持部材３に対して掛止・掛止解除自在とされている。掛止の状態にあるとき、第１掛止部２７は、支持部材３の雄ねじ３ａの谷部に嵌って掛止される。
【００３６】
すなわち、この雄ねじ３ａの谷部（または山部）は、第１掛止部２７を掛止する掛止部（以下「第２掛止部」という）となっている。以下、この「雄ねじ」と「第２掛止部」に共通符号３ａを用いる。なお、固定手段４は、固定部材１５の第１掛止部２７と、この第２掛止部３ａと、当接部１４とで構成されている。
【００３７】
また、各固定部１７ａ，１７ｂは、取付部１６に対して所定の角度を為すように、取付部１６との境界位置で曲げられている。本実施形態では、各固定部１７ａ，１７ｂのガイド孔２６に支持部材３が挿通されていない状態において、各固定部１７ａ，１７ｂと取付部１６とが為す角度は、約１３５°となっている。これにより、各固定部１７ａ，１７ｂに形成されたガイド孔２６に支持部材３が挿通された状態では、各固定部１７ａ，１７ｂは、支持部材３の長手方向（軸線方向）に対して所定の角度で斜めに交差した状態となる。
【００３８】
図１に示すように、ガイド孔２６に支持部材３が挿通され、取付部１６と支持部材３とがほぼ平行となった場合において、各固定部１７ａ，１７ｂと支持部材３とが為す角度（すなわち、取付部１６と各固定部１７ａ，１７ｂとが為す角度）は約１２６°なっている。
【００３９】
すなわち、各固定部１７ａ，１７ｂは、ガイド孔２６に支持部材３が挿通されていない状態（保持部材２が支持部材３に取り付けられていない状態）と、挿通された状態（保持部材２が支持部材３に取り付けられている状態）とで、取付部１６に対する角度が異なる。
【００４０】
より具体的には、ガイド孔２６に支持部材３が挿通されていない場合よりも、挿通された場合の方が、取付部１６（または支持部材３）に対する各固定部１７ａ，１７ｂの角度が小さくなる。すなわち、各固定部１７ａ，１７ｂは、支持部材３に取り付けられたとき（ガイド孔２６に支持部材３が挿通されたとき）に、支持部材３に対する角度が変わることで弾性変形し、操作部１８ａ，１８ｂが操作されない限り、その弾性復元力をもって支持部材３に押しつけられることとなる。さらに具体的には、各固定部１７ａ，１７ｂの第１掛止部２７は、各固定部１７ａ，１７ｂの弾性復元力によって、第２掛止部３ａに強く押し当てられ、この第２掛止部３ａにより確実に掛止される。
【００４１】
また、第１固定部１７ａと第２固定部１７ｂとは、傾斜の方向が異なる。第１固定部１７ａおよび第２固定部１７ｂは、図２に示すように、側面視において、取付部１６に対して引いた中心線に対して、線対称となるように形成されている。第１固定部１７ａと第２固定部１７ｂは、取付部１６から操作部１８（１８ａ，１８ｂ）に向かうにつれて、互いに徐々に離れるように傾斜している。
【００４２】
したがって、固定手段４が保持部材２を支持部材３に固定している状態（図１参照）では、第１固定部１７ａは、支持部材３に対して上方（支持部材３の基部から先端に向かう方向）に傾斜（上向傾斜）した状態となる。また、第２固定部１７ｂは、支持部材３に対して下方（支持部材３の先端から基部に向かう方向）に傾斜（下向傾斜）した状態となる。
【００４３】
より具体的には、第１固定部１７ａが支持部材３に対して上方に傾斜した状態とは、この第１固定部１７ａにおける第１操作部１８ａ側の端部が、取付部１６側の端部よりも上方に位置するように第１固定部１７ａが傾斜した状態である。また、第２固定部１７ｂが支持部材３に対して下方に傾斜した状態とは、この第２固定部１７ｂにおける第２操作部１８ｂ側の端部が、取付部１６側の端部よりも下方に位置するように第２固定部１７ｂが傾斜した状態である。
【００４４】
このように、第１固定部１７ａが支持部材３に対して上方に傾斜した状態では、この第１固定部１７ａの第１掛止部２７が支持部材３の第２掛止部３ａに掛止されたとき、この第１固定部１７ａの上方側の面の一部が、これよりも上方に位置する、支持部材３の雄ねじ３ａの谷部の傾斜面に当接することになり、これによって、第１固定部１７ａは、保持部材２が支持部材３の上方に移動しないように、特に強く保持部材２の位置規制を行うようになっている。
【００４５】
また、第２固定部１７ｂが支持部材３に対して下方に傾斜した状態では、この第２固定部１７ｂの第１掛止部２７が支持部材３の第２掛止部３ａに掛止されたとき、この第２固定部１７ｂの下方側の面の一部が、これよりも下方に位置する、支持部材３の雄ねじ３ａの谷部の傾斜面に当接することになり、これによって、第２固定部１７ｂは、保持部材２が支持部材３の下方に移動しないように、特に強く保持部材２の位置規制を行うようになっている。
【００４６】
したがって、固定用具１は、第１固定部１７ａによって保持部材２が上方に移動しないように強く位置規制をし、しかも第２固定部１７ｂによって保持部材２が下方に移動しないように強く位置規制をすることにより、保持部材２が上下方向に移動しないように支持部材３に対して掛止できる。
【００４７】
なお、各固定部１７ａ，１７ｂの第１掛止部２７が支持部材３の第２掛止部３ａに掛止されている状態では、第１掛止部２７が第２掛止部３ａに向かう力が各固定部１７ａ，１７ｂに作用するように、これらの固定部１７ａ，１７ｂは、若干弾性変形していることが望ましい。
【００４８】
また、固定手段４は、各固定部１７ａ，１７ｂの第１掛止部２７が第２掛止部３ａに掛止されるとともに、当接部１４が支持部材３に当接することによって、保持部材２を支持部材３に固定するようになっている。具体的には、図１に示すように、保持部材２が支持部材３に固定されている状態では、支持部材３は、当接部１４と第１掛止部２７との間に位置しており、これらによって挟まれることで、保持部材２を支持部材３に対して固定されている。
【００４９】
より具体的には、各固定部１７ａ，１７ｂのガイド孔２６は、支持部材３を挿通でき、しかも、第１掛止部２７が、支持部材３に対して接近・離反できるように、この支持部材３よりも大きく形成されており、このため、第１掛止部２７が第２掛止部３ａに掛止された状態では、この掛止位置とは支持部材３を挟んで反対側の位置において、ガイド孔２６と支持部材３との間に隙間ができるようになっている。
【００５０】
この状態において、当接部１４は、第１掛止部２７が第２掛止部３ａから不意に離れないように、前記掛止位置とは、支持部材３を挟んで反対側の位置からこの支持部材３に当接し、第１掛止部２７が第２掛止部３ａに掛止される状態を維持できようになっている。
【００５１】
以上のように、固定用具１は、固定手段４の第１掛止部２７が支持部材３の第２掛止部３ａに掛止されるとともに、この掛止を維持するように、当接部１４が支持部材３に当接することにより、保持部材２を支持部材３に確実かつ強固に固定できるようになっている。
【００５２】
各操作部１８ａ，１８ｂは、その中途部が屈曲して形成されている。各操作部１８ａ，１８ｂは、各固定部１７ａ，１７ｂと繋がる第１屈曲部３５ａ，３５ｂと、この第１屈曲部３５ａ，３５ｂに繋がる第２屈曲部３６ａ，３６ｂとを有する。
【００５３】
第１屈曲部３５ａ，３５ｂは、側面視において、各固定部１７ａ，１７ｂに対して約９０°の角度で屈曲して形成されている。また、第２屈曲部３６ａ，３６ｂは、水平方向に対して所定の角度で傾斜するように、第１屈曲部３５ａ，３５ｂから屈曲されている。本実施形態では、この第２屈曲部３６ａ，３６ｂが水平方向に対して為す角度は、約２０°となっており、この第２屈曲部３６ａ，３６ｂを指で操作し易い構成となっている。
【００５４】
固定手段４は、第１固定部１７ａの第１掛止部２７が支持部材３の第２掛止部３ａに掛止されている状態で、この第１操作部１８ａを下方に押すように指で操作することによって、第１固定部１７ａが弾性変形し、その第１掛止部２７が第２掛止部３ａから離れ、第２掛止部３ａによる第１掛止部２７の掛止を解除できるようになっている。なお、第１操作部１８ａを下方に押すように操作すると、支持部材３に対する第１固定部１７ａの交差角度が変わる。より具体的には、この操作により、支持部材３に対する第１固定部１７ａの交差角度（または第１固定部１７ａと取付部１６とが為す角度）は、操作前（１２６°）よりも小さくなる。
【００５５】
また、固定手段４は、第２固定部１７ｂの第１掛止部２７が第２掛止部３ａに掛止されている状態で、この第２操作部１８ｂを上方に押し上げるように操作することによって、第２固定部１７ｂが弾性変形し、その第１掛止部２７が第２掛止部３ａから離れることで、その掛止を解除できるようになっている。なお、第２操作部１８ｂを上方に押し上げるように操作すると、支持部材３に対する第２固定部１７ｂの交差角度が変わる。より具体的には、この操作により、支持部材３に対する第２固定部１７ｂの交差角度（または第２固定部１７ｂと取付部１６とが為す角度）は、操作前（１２６°）よりも小さくなる。
【００５６】
ベース部材５は、平面視長方形状の板形状とされており、その厚さ方向における一方の面に、支持部材３が取り付けられる取付部４１が設けられている。この取付部４１は、ベース部材５の一方の面から突出する筒形状に構成されており、その内面に雌ねじが形成されている。支持部材３は、この取付部４１の雌ねじに嵌め込まれることによって、ベース部材５に固定される。なお、このベース部材５の各端部と取付部４１との間には、その板厚方向に貫通する貫通孔５ａ，５ａが形成されている。
【００５７】
以下、この固定用具１の使用方法について説明する。
【００５８】
この固定用具１を用いて流水部材である配水管を固定するには、予め、ベース部材５に固定された支持部材３に、固定手段４を介して保持部材２を掛止させた状態で、ベース部材５を所定の固定位置に固定する。
【００５９】
具体的には、ベース部材５は、例えば、配水管が建物内の床下に設けられる場合（床下配管）には、床下の躯体上面の所定位置に固定される。このベース部材５は、例えば、このベース部材５に形成された孔およびアンカーボルトを介して所定の固定位置に固定される。
【００６０】
次に、配水管を保持部材２に取り付ける。このとき、配水管を保持部材２のガイド部１１に当接させ、それからこの配水管を保持部１０側に押し込むようにする。そうすると、保持部１０の内面に配水管が接触した状態となり、これにより、配水管は保持部材２に保持される。
【００６１】
そして、配水管を配水物（例えば水、固形物を含んでいる水等）が所定の速度で流れるように、この配水管を傾斜させる。配水管を所定の傾斜角度にするために、固定部材１５の操作部１８ａ，１８ｂを操作するとともに、支持部材３に対する保持部材２を位置を変える。このとき、１つの固定手段４に設けられている２つの操作部１８ａ，１８ｂの一方に親指を当て、他方に人差し指を当て、２つの操作部１８ａ，１８ｂが互いに近づくように操作する。
【００６２】
そうすると、各固定部１７ａ，１７ｂは、弾性変形しながら支持部材３の軸線方向に対する交差角度が変わり、それぞれのガイド孔２６の第１掛止部２７が支持部材３の第２掛止部３ａから離れる（離反する）。これにより、固定手段４による保持部材２の掛止（固定）が解除され、固定手段４が連結された保持部材２を、支持部材３の長手方向に沿って移動させることができるようになる。
【００６３】
上記のように、各固定部１７ａ，１７ｂを弾性変形させたままの状態で、保持部材２を所望の位置に移動させた後、この固定部１７ａ，１７ｂを離すと、固定部１７ａ，１７ｂはその弾性復元力により、元の形状に戻ろうとする。これにより、ガイド部１１の掛止部が支持部材３に接近し、そして支持部材３の第２掛止部３ａである第２掛止部３ａ（雄ねじ３ａの谷部）に嵌って掛止される。これにより、保持部材２は、固定手段４を介して、再び支持部材３に固定される。
【００６４】
以上によって、固定用具１による配水管の固定がなされ、これを繰り返しながら配水管の配管がなされる。
【００６５】
上記構成の固定用具１によれば、固定部材１５に形成された第１固定部１７ａ，１７ｂの支持部材３に対する交差角度が変わるように、固定部材１５（操作部１８ａ，１８ｂ）を操作するだけで、第２掛止部３ａによる第１掛止部２７の掛止を解除して、保持部材２の支持部材３に対する位置を調整できるようになり、これによって、容易かつ迅速に保持部材２の位置調整を行うことができる。
【００６６】
また、保持部材２に連結された固定部材１５の各固定部１７ａ，１７ｂに形成された第１掛止部２７が、支持部材３の第２掛止部３ａに掛止され、しかも当接部１４がその掛止を維持するように支持部材３に当接することで、流水部材を保持する保持部材２を所定の位置（高さ）に確実に固定でき、これによって流水部材を所望の固定位置で動かないように支持することができる。
【００６７】
そして、この固定用具１は、固定手段４の各操作部１８ａ，１８ｂを所定の方向に押して各固定部１７ａ，１７ｂを弾性変形させるだけで、保持部材２の固定を解除でき、しかも、押していた操作部１８ａ，１８ｂを離すと、各固定部１７ａ，１７ｂの弾性復元力によって自動的に保持部材２を支持部材３に対して固定するようになっているため、流水部材の固定作業、位置調整作業を容易かつ迅速にできるようになる。
【００６８】
また、各固定手段４の各固定部１７ａ，１７ｂに形成されたガイド孔２６に支持部材３が挿通されていることから、保持部材２の支持部材３に対する固定が解除されているときに、この保持部材２は、ガイド孔２６を介して、支持部材３の長手方向に沿って位置変更できるようになっており、これによって、保持部材２の位置を調整する場合に、保持部材２が支持部材３から大きく離れることがなくなり、これによって、保持部材２の位置調整を容易に行うことができる。
【００６９】
さらに、各固定部１７ａ，１７ｂに形成されたガイド孔２６は、支持部材３に沿って保持部材２を案内するのみならず、その周縁部の一部が支持部材３の第２掛止部３ａに掛止される第１掛止部２７となっていることから、固定部１７ａ，１７ｂに貫通孔（ガイド孔２６）を設けるだけで容易に形成でき、これによって、固定用具１の製造コストを低減できるようになる。
【００７０】
また、固定部１７ａ，１７ｂは、側面視において、そのガイド孔２６に支持部材３が挿通されている状態で、この支持部材３に対して斜めに交差するように設けられていることから、操作部１８ａ，１８ｂを操作して第１掛止部２７を第２掛止部３ａから離反させるときに、第２掛止部３ａに引っ掛かることなくその掛止を解除できる。
【００７１】
しかも、操作部１８ａ，１８ｂを離すと、第１掛止部２７は、固定部１７ａ，１７ｂの弾性復元力によって、第２掛止部３ａに接近することになるが、このとき、第２掛止部３ａである雄ねじの谷部または山部に係合しやすくなり、第２掛止部３ａによる第１掛止部２７の掛止を確実にできる。
【００７２】
また、支持部材３に雄ねじ３ａを形成して、第１掛止部２７を掛止する第２掛止部３ａとしていることから、この第２掛止部３ａは、等ピッチで複数の山部および谷部が交互に形成されているので、支持部材３の長手方向の任意の位置で、第１掛止部２７を掛止できるようになる。
【００７３】
図４、図５は、固定用具１の第２実施形態を示している。上述した第１実施形態では、固定手段４の各固定部１７ａ，１７ｂに形成された第１掛止部２７が支持部材３に形成された第２掛止部３ａに掛止される状態を維持できるように、保持部材２と固定部材１５とを連結するリベット２２の頭部を当接部１４として支持部材３に当接させていたが、本実施形態では、この当接部１４とは別に、各固定部１７ａ，１７ｂにも、支持部材３に当接する当接部４５ａ，４５ｂが形成されており、固定手段４がこの当接部４５ａ，４５ｂを含む点が第１実施形態と異なる。
【００７４】
第１固定部１７ａに形成された当接部４５ａは、この第１固定部１７ａの上面３１から上方に突出して形成されており、その先端部が支持部材３から離れるように曲げられている。この当接部４５ａは、第１固定部１７ａの第１掛止部２７と対向するように、そのガイド孔２６の周縁部に設けられている。支持部材３が第１固定部１７ａのガイド孔２６に挿通されると、この支持部材３は、第１固定部１７ａの第１掛止部２７と当接部４５ａとの間でこれらに挟まれた状態となる。
【００７５】
同様に、第２固定部１７ｂに形成された当接部４５ｂは、第２固定部１７ｂの下面３３から下方に突出して形成されており、その先端部が支持部材３から離れるように曲げられている。この当接部４５ｂは、第２固定部１７ｂの第１掛止部２７と対向するように、そのガイド孔２６の周縁部に設けられている。支持部材３が第２固定部１７ｂのガイド孔２６に挿通されると、この支持部材３は、第２固定部１７ｂの第１掛止部２７と当接部４５ｂとの間でこれらに挟まれた状態となる。
【００７６】
本実施形態に係る固定用具１は、固定手段４の各固定部１７ａ，１７ｂの第１掛止部２７が支持部材３の第２掛止部３ａに掛止されるとともに、当接部１４、第１固定部１７ａに形成された当接部１４、および第２固定部１７ｂに形成された当接部１４の３つが、第１掛止部２７の掛止位置とは支持部材３を挟んで反対位置からこの支持部材３に当接することにより、第１掛止部２７と第２掛止部３ａの掛止状態を維持して、保持部材２を支持部材３に確実かつ強固に固定できるようになっている。
【００７７】
また、当接部４５ａ，４５ｂの先端部が支持部材３から離れるように曲げられていることから、固定部材１５を支持部材３の長手方向に沿って移動させるときに、この先端部が支持部材３の第２掛止部３ａに引っ掛かることがなく、しかも、これらの当接部４５ａ，４５ｂが固定部材１５を支持部材３の長手方向に沿って案内するようになる。すなわち、この当接部４５ａ，４５ｂは、保持部材２の位置を調整するときに、この保持部材２を支持部材３の長手方向に沿って案内する案内手段をも兼ねているのである。
【００７８】
さらに、この当接部４５ａ，４５ｂの先端部が曲げられていることにより、ガイド孔２６に支持部材３を挿通しようとするときに、この当接部４５ａ，４５ｂの先端部が、支持部材３をガイド孔２６へと案内する案内手段としても機能するようになっている。
【００７９】
本実施形態のその他の点は、第１実施形態と同様である。本実施形態が第１実施形態と共通する構成には、共通符号を付して説明を割愛する。本実施形態においても、第１実施形態と同様の作用効果を奏する。
【００８０】
図６は、固定用具１の第３実施形態を示している。本実施形態では、第１実施形態と同様な固定手段４と、この固定手段４とは異なる構成の固定手段とによって、保持部材２を支持部材３に固定するようになっており、この点が第１実施形態と異なる。
【００８１】
本実施形態では、固定部材１５に第１実施形態と同様に、取付部１６、第１固定部１７ａ、および第１操作部１８ａが形成されており、さらに、第１固定部１７ａの下方位置に、取付部１６に対してほぼ直角な方向に突出する突出部５１が形成されている。この突出部５１には、支持部材３が挿通されるとともに、保持部材２を支持部材３の長手方向に沿って案内するガイド孔５１ａが形成されている。
【００８２】
固定部材１５の第１固定部１７ａは、取付部１６に対して為す角度が約１２０°とされている。この第１固定部１７ａは、そのガイド孔２６に支持部材３が挿通された状態において、この支持部材３と所定の角度で斜めに交差した状態となる。また、第１固定部１７ａは、ガイド孔２６に支持部材３が挿通された状態において、取付部１６に対して為す角度が１２０°よりも小さくなり、これによる弾性復元力を介してその第１掛止部２７が支持部材３の第２掛止部３ａに掛止されている。
【００８３】
その一方で、突出部５１は、取付部１６に対して為す角度が９０°とされていることから、そのガイド孔５１ａに支持部材３が挿通されたときに、この支持部材３ａとほぼ直交することとなり、支持部材３ａに対して斜めに交差することはない。
【００８４】
支持部材３には、ナット５２が嵌め込まれており、前記突出部５１は、このナット５２に載せられて支持されている。すなわち、固定部材１５に形成された突出部５１と、この突出部５１を受けるナット５２とによって、保持部材２を支持部材３の所定位置に固定するための別の固定手段が構成されている。
【００８５】
本実施形態では、第１固定部１７ａの第１掛止部２７が支持部材３の第２掛止部３ａに掛止され、かつ当接部１４が支持部材３に当接することによって、保持部材２が上方に移動しないように固定部材１５を支持部材３に対して固定するとともに、突出部５１のガイド孔５１ａに支持部材３が挿通された状態で、この突出部５１をナット５２で支持することによって、保持部材２が下方に移動しないように固定部材１５を支持部材３に対して固定するようになっている。
【００８６】
本実施形態のその他の点は、第１実施形態と同様である。本実施形態が第１実施形態と共通する構成には、共通符号を付して説明を割愛する。本実施形態においても、第１実施形態と同様の作用効果を奏する。
【００８７】
なお、本発明は、上記の実施形態に限らず、種々の変形・変更が可能である。
【００８８】
例えば、上記の実施形態では、固定部材１５の第１固定部１７ａ、第２固定部１７ｂに形成された第１掛止部２７を支持部材３の第２掛止部３ａに掛止させ、さらに、保持部材と固定部材１５を連結する連結部材（リベット２２）の頭部に形成された当接部１４を支持部材３に当接させることによって、保持部材２を支持部材３に固定する例を示したが、これに限らず、この当接部１４を省略することも可能である。すなわち、固定手段４を固定部材１５の第１掛止部２７と支持部材３の第２掛止部３ａのみによって構成し、この第１掛止部２７を第２掛止部３ａに掛止させることのみによって、保持部材２を支持部材３に固定することも可能である。
【００８９】
また、上記実施形態では、支持部材３に雄ねじ３ａを形成して、これを第２掛止部３ａとした例を示したが、第２掛止部は、これに限らず、例えば円柱状に形成された支持部材３に、図７（ａ）に示すように、その全周にわたって形成された凹溝５４を、その長手方向に間隔をおいて複数形成し、この凹溝５４に第１掛止部が嵌って掛止されるようにしてもよい。また、図７（ｂ）に示すように、凹溝５４をその全周に形成せずに、その一部に形成し、これによって第１掛止部を掛止するようにしてもよい。
【００９０】
また、このように、図７（ａ）、（ｂ）に示すような凹溝５４が採用される場合は、支持部材３を円柱状に形成せずに、角柱状、楕円柱状、断面異形形状その他の種々の形状のものを採用できる。
【００９１】
また、固定部材１５に形成されるガイド孔２６の周縁部から、その中心に向かって突出する突起部を形成し、これを第１掛止部とするとともに、この第１掛止部が嵌る穴を支持部材３に形成し、これによって第１掛止部を掛止する構成を採用してもよい。
【００９２】
また、上記実施形態では、固定手段４の固定部１７ａ，１７ｂにガイド孔２６を形成し、このガイド孔２６を介して保持部材２を支持部材３の長手方向に沿って移動できるように案内する構成を例示したが、これに限らず、固定部１７ａ，１７ｂにガイド孔２６に代えて、支持部材３に係合可能な凹部または切欠を形成し、これらを介して保持部材２を案内する構成を採用しても良い。
【００９３】
また、上記実施形態では、取付部１６に対する固定部１７ａ，１７ｂの角度が１３５°とされ、固定部１７ａ，１７ｂが支持部材３に対して約１２６°の角度で傾斜して取り付けられた例（第１実施形態、第２実施形態）、およびこの取付部１６に対する固定部１７ａの角度が１２０°とされた例（第３実施形態）を示したが、これに限らず、これらの角度を変更してもよい。同様に、上記実施形態では、操作部１８（１８ａ，１８ｂ）の第１屈曲部３５ａ，３５ｂが固定部１７ａ，１７ｂに対して為す角度が約９０°で、第２屈曲部３６ａ，３６ｂが第１屈曲部３５ａ，３５ｂに対して為す角度が約２０°とされた例を示したが、これに限らず、これらを変更してもよい。
【００９４】
上記実施形態では流水部材として円筒状の配水管を固定用具１で固定する例を説明したが、この流水部材は、配水管に限らず、断面円弧状の樋その他の流水可能な種々の形態のものを含む。
【００９５】
上記第２実施形態では、リベット２２の頭部による当接部１４、各固定部１７ａ，１７ｂに形成された当接部１４を支持部材３に当接させることによって、第１掛止部２７と第２掛止部３ａの掛止を維持する例を示したが、これに限らず、例えば、リベット２２の頭部による当接部１４は省略することも可能である。
【００９６】
上記第３実施形態では、第１実施形態等で示した固定手段４の他に、ガイド孔５１ａを有する突出部５１をナット５２で支持することによって保持部材２を支持部材３に固定する例を示したが、これに限らず、このナット５２に代えて、支持部材３の雄ねじ３ａに係合可能なリング体を用いて突出部５１を支持するようにしてもよい。
【００９７】
上記実施形態では、流水部材を建物内の床下に配設する場合を例示したが、これに限らず、固定用具１は、流水部材を建物の天井裏に配設する場合や、壁面に配設する場合にも使用可能である。この場合、必要であれば、保持部材２とによって流水部材を挟みこむような押さえ部材を、この保持部材１に対して着脱自在に設けるようにしてもよい。また、このような押さえ部材をヒンジ等の連結手段を介して保持部材２に取り付けることも可能である。
【００９８】
上記実施形態では、ベース部材５に形成された取付部４１に支持部材３を固定するようにした例を示したが、これに限らず、例えば、２つの支持部材３，３をベース部材５の長手方向に対して移動自在かつ任意位置で固定可能に取り付けるようにして、２つの支持部材３，３の間隔を調整自在にし、この支持部材３，３の間隔に応じた保持部材２をこれらに固定するようにしてもよい。これによって、種々の大きさの流水部材を所定の固定位置に固定できるようになる。
【００９９】
上記実施形態では、リベット２２の頭部を固定部材１５の取付部１６から支持部材３に向かって突出するように設けて、これを当接部１４とした例を示したが、これに限らず、例えば、取付部１６に、支持部材３に向かって突出する突起部を形成し、この突起部を当接部として支持部材３に当接させるようにしてもよい。
【０１００】
また、保持部材２の連結部１２の貫通孔１２ｂの内面に雌ねじを形成し、ボルト、ねじ等の連結部材をこの貫通孔１２ｂに嵌め込んで、この連結部材の頭部を当接部１４として用いても良い。
【０１０１】
また、このような連結部材の軸部を、連結部１２の貫通孔１２ｂおよび取付部１６の貫通孔１６ａに、取付部１６側から挿通して連結部１２側に突出させ、その端部からナットを嵌め込んで締結することにより、連結部１２と取付部１６を連結するようにしてもよい。
【０１０２】
さらに、ボルト、ねじ等の連結部材を用いる場合には、当接部１４となるその頭部と取付部１６との間に座金等をカラー部材として介在させ、当接部１４の取付部１６からの突出量を調節できるように構成してもよい。これによって、第２掛止部３ａによる第１掛止部２７の掛止の強さを調節することができるようになる。
【図面の簡単な説明】
【０１０３】
【図１】本発明の第１実施形態を示す固定用具の側面図である。
【図２】同じく固定部材の側面図である。
【図３】同じく固定部材の平面図である。
【図４】本発明の第２実施形態を示す固定用具の側面図である。
【図５】同じく固定部材の側面図である。
【図６】本発明の第３実施形態を示す固定用具の側面図である。
【図７】支持部材の変形例を示す側面図である。
【符号の説明】
【０１０４】
１…固定用具、２…保持部材、３…支持部材、３ａ…第２掛止部（雄ねじ）、４…固定手段、５…ベース部材、１０…保持部、１１…ガイド部、１２…連結部、１４…当接部、１５…固定部材、１６…取付部、１７…固定部、１７ａ…第１固定部、１７ｂ…第２固定部、１８…操作部、１８ａ…第１操作部、１８ｂ…第２操作部、２１…当接面、２２…リベット、２６…ガイド孔、２７…第１掛止部、３５（３５ａ，３５ｂ）…第１屈曲部、３６（３６ａ，３６ｂ）…第２屈曲部、４１…取付部、４５…当接部、５１…突出部、５１ａ…ガイド孔、５２…ナット、５４…凹溝
【図１】
2009270603.tif 000003
【図２】
2009270603.tif 000004
【図３】
2009270603.tif 000005
【図４】
2009270603.tif 000006
【図５】
2009270603.tif 000007
【図６】
2009270603.tif 000008
【図７】
2009270603.tif 000009